(57)【要約】      （修正有）【課題】片手で、簡単にバイアルの保護キャップを取り外せる保護キャップ除去具を提供する。【解決手段】薬剤を収容する薬剤容器に嵌められたゴム栓を被覆する保護キャップ２を取り外す保護キャップ除去具であって、所定間隔をあけて対向する一対の縁部を上面に備えてなり、前記一対の縁部の一方が、前記保護キャップ２の下縁を引っ掛ける引っ掛け部分１１を構成し、前記一対の縁部の他方が、前記引っ掛け部分１１に前記保護キャップ２の下縁を引っ掛けて前記薬剤容器を傾ける際に前記保護キャップ２の上面に接触して支点となる支点部分１２を構成する。【選択図】図１
0003176679.tif 000002
【実用新案登録請求の範囲】
【請求項１】
薬剤を収容する薬剤容器に嵌められたゴム栓を被覆する保護キャップを取り外す保護キャップ除去具であって、
所定間隔をあけて対向する一対の縁部を上面に備えてなり、
前記一対の縁部の一方が、前記保護キャップの下縁を引っ掛ける引っ掛け部分を構成し、前記一対の縁部の他方が、前記引っ掛け部分に前記保護キャップの下縁を引っ掛けて前記薬剤容器を傾ける際に前記保護キャップの上面に接触して支点となる支点部分を構成することを特徴とする保護キャップ除去具。
【請求項２】
前記一対の縁部が、上に向いて開く一対の傾斜面を備え、両方の傾斜面の下縁が前記引っ掛け部分を構成し、両方の傾斜面が前記支点部分を構成する請求項１記載の保護キャップ除去具。
【請求項３】
前記所定間隔が異なる対をなす一対の縁部を、複数設けてなる請求項１又は２記載の保護キャップ除去具。
【請求項４】
前記一対の縁部の下方に設けられて、前記ゴム栓から取り外した前記保護キャップを回収する回収部をさらに備える請求項１乃至３のいずれかに記載の保護キャップ除去具。
【請求項５】
前記回収部が、引き出しを備えてなる請求項４記載の保護キャップ除去具。
【考案の詳細な説明】
【技術分野】
【０００１】
本考案は、バイアルの保護キャップを、簡単な操作で取り外せる保護キャップ除去具に関するものである。
【背景技術】
【０００２】
従来、薬剤の入ったバイアルは、薬剤を収容する容器本体と、容器本体の開口を密封するゴム栓と、そのゴム栓を開口に固定するためのアルミニウム製の固定キャップと、固定キャップの上に取り付けられてゴム栓の表面を被覆する保護キャップとを備えている。保護キャップは、アルミニウム製や、ポリプロピレン等のプラスチック製で、ゴム栓に取り外し可能に取り付けてある。
【０００３】
保護キャップは、保管や輸送の際に、注射針を刺すゴム栓の上表面が不衛生にならないようにしている。このため、保護キャップは、容易には取り外せないようにゴム栓に取り付けてある。
【０００４】
バイアルは、その中の薬剤を使用する場合、保護キャップを取り外す必要がある。通常、保護キャップは、薬剤の使用直前に、医師、薬剤師または看護師が手で取り外している。ところが上述したように、保護キャップは、その目的を達成するために、取り外し可能ではあるがゴム栓に強固に取り付けてある。従って、手で取る場合、一日に多数のものを処理しようとすると、少なからず手が疲労し、傷ついたりすることもある。
【０００５】
このような事情に鑑みて、例えば非特許文献１のもののように、保護キャップを取り外すための冶具が考案されている。非特許文献１の冶具では、台の上面に設けられた、上から見た場合にアルファベットのＪの形状をした取り外し用の壁部分に、保護キャップを引っ掛け、水平方向にバイアルを回転させて、保護キャップをゴム栓から外す構成である。
【０００６】
この冶具では、保護キャップを外すのに上記壁部分を使用するので、指を保護キャップに直接掛ける必要はない。しかしながら、バイアルを水平方向に回転させるため、冶具自体が机等の上でバイアルの回転方向に回転して、保護キャップを取り外せないことがある。つまり、上記の冶具にあっては、冶具自体を机等に固定するか、あるいは回転止めのためのものを使用しない限り、バイアルを握っていないもう一方の手で、冶具の回転を止めておかないと、保護キャップを取り外すことは困難である。
【０００７】
従って、この冶具にあっては、片手で保護キャップの取り外し作業を行うには、冶具を固定する等、机等を加工するか、そうでなければ両手で取り外し作業をしなければならなかった。
【先行技術文献】
【非特許文献】
【０００８】
【非特許文献１】ｈｔｔｐ：／／ｗｗｗ．ｍｓ−ｇａｔｅｗａｙ．ｊｐ／ｓｃｒｉｐｔｓ／ｐａｇｅｓ／１７０．ｐｈｐ？ｐｈｙｓｉｃｉａｎ
【考案の概要】
【考案が解決しようとする課題】
【０００９】
そこで、本考案は上述したような問題を鑑みてなされたものであり、片手で、簡単にバイアルの保護キャップを取り外せる保護キャップ除去具を提供することを目的とする。
【課題を解決するための手段】
【００１０】
すなわち、本考案の保護キャップ除去具は、薬剤を収容する薬剤容器に嵌められたゴム栓を被覆する保護キャップを取り外す保護キャップ除去具であって、所定間隔をあけて対向する一対の縁部を上面に備えてなり、前記一対の縁部の一方が、前記保護キャップの下縁を引っ掛ける引っ掛け部分を構成し、前記一対の縁部の他方が、前記引っ掛け部分に前記保護キャップの下縁を引っ掛けて前記薬剤容器を傾ける際に前記保護キャップの上面に接触して支点となる支点部分を構成することを特徴とする。
【００１１】
このような構成によれば、上面にある一方の縁部で構成する引っ掛け部分に保護キャップの下縁を引っ掛け、保護キャップの上面を他方の縁部で構成する支点部分に接触させた状態で薬剤容器を傾けるので、支点部分を下に押さえつつ保護キャップの下縁に下向きの力が作用する。従って、薬剤容器が傾く際に、保護キャップ除去具が載置面から浮き上がらずに、保護キャップがゴム栓から剥がされる。従って、薬剤容器を持っている片手のみで、薬剤容器から保護キャップを取り外すことが可能になる。
【００１２】
保護キャップを縁部間に差し入れる方向を意識することなく、保護キャップの取り外しの利便性を高めるためには、前記一対の縁部が、上に向いて開く一対の傾斜面を備え、両方の傾斜面の下縁が前記引っ掛け部分を構成し、両方の傾斜面が前記支点部分を構成するものが望ましい。
【００１３】
種々の大きさの保護キャップに対応するためには、前記所定間隔が異なる対をなす一対の縁部を、複数設けてなるものが望ましい。
【００１４】
取り外した保護キャップが飛散することを抑えるためには、前記一対の縁部の下方に設けられて、前記ゴム栓から取り外した前記保護キャップを回収する回収部をさらに備えるものが望ましい。具体的には、前記回収部が引き出しを備えてなるものが挙げられる。
【考案の効果】
【００１５】
このように、本考案の保護キャップ除去具は、上からの作業で、片手だけで保護キャップをゴム栓から取り外すことができる。
【図面の簡単な説明】
【００１６】
【図１】本考案の第一実施形態に係る保護キャップ除去具の斜視図。
【図２】同実施形態の平面図。
【図３】同実施形態の開口部の断面図。
【図４】同実施形態の作業状態を示す要部拡大断面図。
【図５】本考案の第二実施形態に係る保護キャップ除去具の斜視図。
【図６】同他の実施形態平面図。
【図７】本発明の第三実施形態に係る保護キャップ除去具の斜視図。
【図８】同第三実施形態の断面図。
【図９】本考案の実施形態の変形例における開口部の断面図。
【図１０】本考案の第四実施形態に係る保護キャップ除去具の斜視図。
【考案を実施するための形態】
【００１７】
以下、本考案の実施形態について図面を参照して説明する。
【００１８】
本考案の第一実施形態の保護キャップ除去具１００は、バイアル１の保護キャップ２を取り外すためのものであり、図１に示すように、例えばプラスチック製で、プラスチックの平板を折り曲げたアングル形状をしている。この保護キャップ除去具１００は、上面を構成する上板部３と、その上板部３を上板部３の下面側から支持する脚部４と、上板部３を貫通して設けられる開口部５とを備えている。上板部３と脚部４とは、一体に形成してある。
【００１９】
バイアル１自体は、医療分野で広く使用されているものであってよい。すなわち、バイアル１は、薬剤を収容する容器本体６と、容器本体６の開口に嵌め込まれて該開口を封鎖するゴム栓７と、ゴム栓７を開口に固定するための、中央部分に開口を有する固定キャップ８と、固定キャップ８の開口から露出するゴム栓７を少なくとも被覆する保護キャップ２とを備えている。
【００２０】
上板部３は、その上面及び下面が平坦な板であり、図２に示すように、平面視長方形をしている。そして、上板部３の長辺部分を下側から、脚部４が支持する構成である。
【００２１】
脚部４は、保護キャップ除去具１００を例えば机の上に置いて、保護キャップ２を取り外した場合に、取り外した保護キャップ２が、開口部５から机の上に落ちても開口部５には届かない高さを有している。従って、脚部４により、回収部９が形成されている。
【００２２】
開口部５は、平面視長方形の貫通孔であり、その長辺部分を上板部３の短辺部分と平行にして設けてある。開口部５はその長辺部分が、所定間隔をあけて対向する一対の縁部を構成し、上板部３の下面側から上面側に上に向いて拡がる傾斜面１０を備えている。従って、傾斜面１０は、上板部３の長手方向において対向する位置に形成されている。縁部の間の所定間隔は、バイアル１の保護キャップ２の直径に対応して設定する。
【００２３】
それぞれの傾斜面１０はその下縁に、保護キャップ２を引っ掛ける引っ掛け部分１１を有している。引っ掛け部分１１は、板厚を薄くして、保護キャップ２が引っ掛かりやすくしてある。またそれぞれの傾斜面１０は、引っ掛け部分１１に保護キャップ２を引っ掛けて容器本体６を傾倒させる際に保護キャップ２に接触して支点として機能する支点部分１２となる。つまり、いずれか一方の下縁に保護キャップ２を引っ掛けて保護キャップ２を取り外す場合は、残る他方の傾斜面１０が支点部分１２になる。傾斜面１０の下縁間、つまり引っ掛け部分１１間の距離は、保護キャップ２の外径より短く設定するもので、例えば保護キャップ２の外径のほぼ１／２程度に設定するとともに、傾斜面１０の角度は水平とほぼ３０度の角度に設定する。
【００２４】
このような構成において、バイアル１に収容されている薬剤を使用する場合は、保護キャップ２を取り外してゴム栓７の上外面を露出させる。保護キャップ２の取り外しは、保護キャップ２を下側にしてバイアル１を保護キャップ除去具１００の上に移動し、保護キャップ２を上板部３に対して傾斜させて開口部５に挿入する（図４）。この場合、傾斜面１０に保護キャップ２を乗せて滑らしながら移動させることで、保護キャップ２の下縁を引っ掛け部分１１に案内させることができる。
【００２５】
この後、保護キャップ２の下縁が引っ掛け部分１１に引っ掛かったことを確認する。その状態で、保護キャップ２を引っ掛け部分１１に引っ掛けた側の傾斜面１０と対向する傾斜面１０に保護キャップ２を接触させる。そして、バイアル１の容器本体６をゆっくりと、保護キャップ２を接触させた傾斜面１０側に深く、例えばバイアル１と上板部３とで形成される角度が上板部３に対して垂直以上の角度になるまで傾ける。
【００２６】
これにより、一方の傾斜面１０の下縁の引っ掛け部分１１に引っ掛けられた保護キャップ２の接触点が作用点として、支点部分１２として機能する他方の傾斜面１０を実質的に支点として容器本体６が傾けられることにより、保護キャップ２に力が作用する。この時、バイアル１の回転による力は、上向きに発生するが、保護キャップ２は引っ掛け部分１１により回転、あるいは移動を禁止されるので、保護キャップ２は、その引っ掛け部分１１に残留する。従って、容器本体６の回転により回転方向に移動するゴム栓７から、保護キャップ２が剥がされるようにして外れる。
【００２７】
傾斜面１０は、上板部３の長手方向において対向しているので、バイアル１を傾けた場合、引っ掛け部分１１には上向きの力が作用するものの、支点部分１２には下向きに力が作用するので、バイアル１を傾けることにより保護キャップ除去具１００が机等より浮き上がることはない。従って、保護キャップ除去具１００を手等で支持することなく、片手で保護キャップ２の取り外し作業を行うことができる。それゆえ、取り外す際には、ゴム栓７の上外面の注射針を刺す部分に、作業者の指が接触することがないので、その部分が不衛生になることを防ぐことができる。
【００２８】
また、一方の手でバイアル１の本体容器６を支持し、他方の手で保護キャップ２に指先を掛けて外す作業に比べて、保護キャップ２の取り外しに要する作業時間を短縮することができる。しかも、指先に強い力を掛ける必要がないので、指を怪我等から保護することができる。
【００２９】
さらに、対向する傾斜面１０により、引っ掛け部分１１と支点部分１２とが、開口部５にそれぞれ一対ずつ設けてあるので、保護キャップ除去具１００の長手方向を利用者の左右方向と平行にして例えば机に置いた場合に、左右のいずれの方向からも保護キャップ２の取り外しをすることができる。従って、右利きの人と左利きの人とで共用する場合、その都度保護キャップ除去具１００の向きを変える必要がなく、利便性を向上させることができる。
【００３０】
さらにまた、脚部４の高さが、保護キャップ２の厚み以上であるので、取り外した保護キャップ２は開口部４に残留することなく、上板部３と脚部４とで形成される回収部８に落下する。従って、開口部５から保護キャップ２を回収する作業等をすることなく、保護キャップ２を連続的に取り外すことができる。
【００３１】
本考案は、上記実施形態に限定されるものではない。なお、上記実施形態と同じ構成にあっては同じ符号を付す。
【００３２】
図５に示す第二実施形態は、内法の異なる開口、言い換えれば上記所定間隔の異なる対向する縁部の対を複数連結して開口部５とするものである。具体的には、開口部５は、相似形をした平面視長方形の開口を、上板部３の幅方向に連結して形成してある。対向する一対の縁部を構成するそれぞれの開口の長辺間の距離、つまり引っ掛け部分１１間の距離は、複数種類あるバイアル１の保護キャップ２の大きさに対応して上記第一実施形態と同様に設定する。それぞれの開口の傾斜面１０の角度は、同一であってもよいし、引っ掛け部分１１間の距離に合わせて変えるものであってもよい。
【００３３】
このように、開口部５が、内法の異なる複数の開口から形成されていると、各種のバイアル１から一つの保護キャップ除去具１００により、それぞれのバイアル１のゴム栓７から保護キャップ２を取り外すことができる。
【００３４】
さらに第三実施形態として、図６に示すように、回収部９に直方体形状の引き出し１３を備えるものが挙げられる。引き出し１３は、直方体において上側の面がない箱型で、底板、側板及び前後板からなる。この実施形態では、回収部９を構成する脚部４の対向する内面に、溝１４が形成してある。そしてそれらの溝１４に対応して、引き出し１３の両側板の外側面には、溝１４の内法にほぼ等しい寸法を有する凸条１５が形成してある。凸条１５は、側板に一体に形成してある。
【００３５】
溝１４は、脚部４の後端近傍から前端まで延びており、溝１４の後端は閉鎖され、同前端は開放されている。一方、この溝１４の構造に合わせて、凸条１５は、その後端が引き出し１３の後端より前になるように、またその前端はほぼ引き出し１３の前板の近傍に達するように、形成されている。
【００３６】
このような構成であれば、上板部３の開口部５でバイアル１のゴム栓７から取り外された保護キャップ２は、開口部５を通過して引き出し１３内に落下する。従って、引き出し１３のない場合に飛散する可能性があった保護キャップ２を、確実に回収することができる。しかも、溝１４の後端が閉鎖されているので、引き出し１３は、取り出し可能であるが、保護キャップ除去具１００の後方に抜け落ちることはない。従って、誤って引き出し１３が、保護キャップ除去具１００の後端側から抜け落ちて、中に回収されていた保護キャップ２が散乱することを防ぐことができる。
【００３７】
また、上記第一、第二及び第三実施形態にあっては、対向する一対の傾斜面１０を備える開口部５を説明したが、図９に示すように、引っ掛け部分１１を備える傾斜面１０と、傾斜面を備えない、上板部３の上面側に角部２０を有する垂直面２１とを備える構成であってもよい。引っ掛け部分１１と垂直面２１との水平距離は、保護キャップ２の外径の例えば２／３以下の寸法とする。このような構成にあっては、角部２０が支点部分として機能する。この例の場合、引っ掛け部分１１の形状は、平面視直線、あるいは円弧であってもよい。なお、図９においては、上記第一、第二及び第三実施形態と同じ構成にあっては同じ符号を付している。
【００３８】
さらにまた、第四実施形態として、台枠３０と、その台枠３０上にほぼ垂直に形成される対をなす脚部３１の二組と、対をなす脚部３１の上端を接続して上面を形成する水平部３２とを備えるものが挙げられる。この第四実施形態では、水平部３２が対向する縁部を構成する。台枠３０と脚部３１と水平部３２とは、一体に形成されるものである。
【００３９】
水平部３２は、上記それぞれの実施形態と同様に、上に向いて開く一対の傾斜面３３を備え、両方の傾斜面３３の下縁は、引っ掛け部分１１を構成し、両方の傾斜面３３は支点部分１２を構成する。
【００４０】
このような構造のものにあっても、水平部３２の下縁が、引っ掛け部分１１を構成するものであるので、上記第一〜第四実施形態同様に、バイアル１の保護キャップ２を取り外すことができる。
【００４１】
なお、この第四実施形態にあっても、図９に示す例と同様に、一方の水平部３２は傾斜面を備えない構成であってもよい。また、台枠３０に代えて、平板とする構成であってもよい。さらに、図７に示した第三実施例のように、台枠３０や平板の上に載る状態で、脚部３１の間に引き出しを備えるものであってもよい。
【００４２】
その他、前述した実施形態や他の実施形態等の一部又は全部を適宜組み合わせてよいし、本考案は前記実施形態に限られず、その趣旨を逸脱しない範囲で種々の変形が可能であるのは言うまでもない。
【符号の説明】
【００４３】
１・・・バイアル
２・・・保護キャップ
３・・・上板部
５・・・開口部
７・・・ゴム栓
１１・・・引っ掛け部分
１２・・・支点部分
【図１】
0003176679.tif 000003
【図２】
0003176679.tif 000004
【図３】
0003176679.tif 000005
【図４】
0003176679.tif 000006
【図５】
0003176679.tif 000007
【図６】
0003176679.tif 000008
【図７】
0003176679.tif 000009
【図８】
0003176679.tif 000010
【図９】
0003176679.tif 000011
【図１０】
0003176679.tif 000012